(57)【要約】      （修正有）【課題】軽量で頭部に対して容易に装着することができ、しかも頭部への負担を軽減できて安全性の高い頭髪整形具を提供する。【解決手段】円弧状の外周面３とその外周面３よりも曲率の大きな円弧状の内周面４とを有し、弾性材料よりなる正面視三日月形状の整形具本体２と、この整形具本体２の外周面３上および内周面４上にそれぞれ貼着される第１のシート６、第２のシートとを備え、これらの第１、第２のシートの表面に頭髪保持用の多数の係合子１０，１２を植設する。【選択図】図１
0003156568.tif 000002
【実用新案登録請求の範囲】
【請求項１】
円弧状の外周面とその外周面よりも曲率の大きな円弧状の内周面とを有し、弾性材料よりなる正面視三日月形状の整形具本体と、前記整形具本体の外周面上および内周面上にそれぞれ貼着されるシートとを備え、各シートには、表面に頭髪保持用の多数の係合子が植設されていることを特徴とする頭髪整形具。
【考案の詳細な説明】
【技術分野】
【０００１】
本考案は、頭髪をボリュームアップした状態に整形するために、あるいは化粧する際に前髪を上げるために使用される頭髪整形具に関するものである。
【背景技術】
【０００２】
従来、頭髪をボリュームアップするための頭髪整形具として、図４に示されるような形状のものが知られている（特許文献１参照）。この頭髪整形具５０は、ＡＢＳ樹脂のような合成樹脂により一体成形されたものであって、曲率の大きな円弧状部５１と、その上に配される曲率の小さな円弧状部５２とを両端部分で連結してなる本体部５３と、この本体部５３の上面および下面にそれぞれ一体形成される頭髪保時部５４，５５とを備えて構成されている。ここで、本体部５３は、図４の紙面に直交する方向に分割された２つの割形片が連結されてなり、各割形片に頭髪保時部５４，５５が組み付けられている。また、上部の円弧状部５２の上面に形成される頭髪保持部５４は、先端が２重の鏃形をした板状突片が複数個等間隔に配され、隣接する板状突片間に頭髪が保持されるように構成されている。一方、下部の円弧状部５１は、櫛歯が垂下されてその櫛歯間に頭髪が保持されるように構成されている。なお、両円弧状部５１，５２の中間部分には、横リブ５６と、この横リブ５６を支えるように配される複数個の縦リブ５７とが設けられている。
【先行技術文献】
【特許文献】
【０００３】
【特許文献１】実用新案登録第３１５２６４９号公報
【０００４】
しかしながら、上記従来の頭髪整形具５０では、熱硬化性樹脂（硬質樹脂）により成形されていて、その形状が固定されているために、利用者の頭部形状にフィットしない場合があり、また、櫛歯によって頭髪に保持するように構成されているために、頭部への装着・保持が確実に行えないという問題点がある。さらに、頭部への負担が大きく、装着状態で他物が当接した際にその衝撃が頭髪整形具を介して直に頭部に伝達され、頭皮が傷付いたり、毛や毛根にダメージを与えてしまうという問題点がある。
【考案の概要】
【考案が解決しようとする課題】
【０００５】
本考案は、前述のような問題点に鑑みてなされたもので、軽量で頭部に対して容易に装着することができ、しかも頭部への負担を軽減できて安全性の高い頭髪整形具を提供することを目的とするものである。
【課題を解決するための手段】
【０００６】
前記目的を達成するために、本考案による頭髪整形具は、
円弧状の外周面とその外周面よりも曲率の大きな円弧状の内周面とを有し、弾性材料よりなる正面視三日月形状の整形具本体と、前記整形具本体の外周面上および内周面上にそれぞれ貼着されるシートとを備え、各シートには、表面に頭髪保持用の多数の係合子が植設されていることを特徴とするものである。
【考案の効果】
【０００７】
本考案によれば、整形具本体が弾性材料により形成されているので、軽量であるとともに、利用者の頭部形状にフィットさせることができ、頭部への負担も小さく、装着状態で他物が当接したとしてもその衝撃を緩和することができ、頭皮が傷付いたり、毛や毛根にダメージを与えるのを防止することができる。また、多数の係合子が植設されたシートが整形具本体の表面に貼着された構成を採用しているので、頭部に対して確実に装着・保持することができ、しかも安価で容易に製造することができるという利点がある。
【図面の簡単な説明】
【０００８】
【図１】本考案の一実施形態に係る頭髪整形具の斜視図
【図２】図１のＡ−Ａ断面で、頭髪整形具の外周部拡大断面図（ａ）および内周部拡大断面図（ｂ）
【図３】頭髪整形具の使用状態を示す図
【図４】従来の頭髪整形具の正面図
【考案を実施するための形態】
【０００９】
次に、本考案による頭髪整形具の具体的な実施の形態について、図面を参照しつつ説明する。
【００１０】
図１には、本考案の一実施形態に係る頭髪整形具の斜視図が示され、図２には、図１のＡ−Ａ断面で、頭髪整形具の外周部拡大断面図（ａ）および内周部拡大断面図（ｂ）がそれぞれ示されている。
【００１１】
本実施形態の頭髪整形具１は、発泡ポリエチレン、ゴムスポンジ等の弾性材料よりなる整形具本体２を備えている。この整形具本体２は、所定幅の円弧状の外周面３とその外周面３よりも曲率の大きな同幅の円弧状の内周面４とを有し、外周面３と内周面４とが両端部で会合することにより全体として正面視三日月形状に形成されている。
【００１２】
図２に示されるように、整形具本体２の外周面３上には接着剤層５を介して第１のシート６が貼着され、また内周面４上には接着剤層７を介して第２のシート８が貼着される。第１のシート６は、織布、編布、プラスチックシートなどからなる基材層９の一面に多数のループ状係合子１０が製織されて構成された雌型面ファスナーとされ、第２のシート８は、織布、編布、プラスチックシートなどからなる基材層１１の一面に多数のフック状係合子１２が製織されて構成された雄型面ファスナーとされている。
【００１３】
ここで、第１のシート６に設けられるループ状係合子１０は、ポリプロピレンなどの紡績糸を用いて柔軟性を有し、基材層９の表面に多列に規則的に植設されてなり、２〜４ｍｍ程度の高さに形成されている。一方、第２のシート８に設けられるフック状係合子１２は、ナイロンなどの紡績糸を用いて剛直性を有し、基材層１１の表面に多列に規則的に植設されてなり、ループ状係合子１０と同等もしくは若干高く形成されている。なお、これらループ状係合子１０およびフック状係合子１２の材質は、上記のものに限定されず、他のいろいろな樹脂を用いることができる。
【００１４】
次に、以上のように構成された頭髪整形具１を用いて、頭髪１３をボリュームアップする際の使用手順について、図３を参照しつつ説明する。
【００１５】
まず、ボリュームアップする部分の頭髪１３の一部を掴み上げ、この掴み上げた頭髪１３と残された頭髪１３との間に頭髪整形具１を挿入し、内周面４のフック状係合子１２を頭部側に残された頭髪１３の上に保持させる。このとき、フック状係合子１２は頭髪１３間に入り込み、頭髪１３上にしっかりと固定される。
この後、掴み上げていた頭髪１３を頭髪整形具１の上面（外周面）を覆うように降ろし、この降ろした頭髪１３を外周面３のループ状係合子１０によって保持させる。このとき、ループ状係合子１０は降ろした頭髪１３間に入り込んで保持され、図３に示されるように頭髪１３のボリュームアップが完了する。
【００１６】
また、本実施形態の頭髪整形具１は、上述のように頭髪１３をボリュームアップさせるという用途のほか、化粧をする際等に、前髪を上げて保持するという用途にも使用することができる。この場合には、前髪を掴み上げた状態でその前髪を頭部側の頭髪１３の上に被せて、その上から頭髪整形具１の内周面４で頭髪１３を抑えつけるようにしてフック状係合子１２で頭髪１３を保持するようにする。こうすることで、前髪が邪魔になることなく化粧をすることができる。
【００１７】
本実施形態の頭髪整形具１によれば、整形具本体２が発泡ポリエチレン等の弾性材料にて形成されており、しかも整形具本体２の表面にループ状係合子１０またはフック状係合子１２を植設したシート６，８を貼着して構成されているので、全体として軽量であり、頭部への負担が小さく、装着状態で他物が当接したとしてもその衝撃を緩和することができ、頭皮が傷付いたり、毛や毛根にダメージを与えるのを防止することができる。また、整形具本体２が撓むことによって利用者の頭部形状にフィットさせることができるとともに、頭部に対して確実に装着・保持することができるという優れた効果を奏するものである。
【００１８】
本実施形態では、内周面側の係合子を、比較的剛直性のあるフック状係合子１２とし、外周面側の係合子を、比較的柔軟性のあるループ状係合子１０とした例について説明したが、フック状係合子とループ状係合子とを逆に用いても良いし、両者ともフック状係合子にしたり、両者ともループ状係合子にしたりする実施形態も可能である。また、雄型係合子の形状は上述のフック状に限定されず、その他、鉤状、鏃状、マッシュルーム状等の形状であっても良い。
【００１９】
また、整形具本体２の形状は本実施形態のような三日月状のものに限る必要はなく、略台形形状であっても良い。なお、本発明において、「三日月形状」とは、これらの変形形状を含むものである。
【産業上の利用可能性】
【００２０】
本考案の頭髪整形具は、頭髪をボリュームアップした状態に整形するために、あるいは化粧する際に前髪を上げるために使用される器具を軽量化でき、しかも安価に提供できるので、産業上の利用可能性が大きい。
【符号の説明】
【００２１】
１    頭髪整形具
２        整形具本体
３        外周面
４        内周面
５，７    接着剤層
６        第１のシート
８        第２のシート
９，１１  基材層
１０      ループ状係合子
１２      フック状係合子
１３      頭髪
【図１】
0003156568.tif 000003
【図２】
0003156568.tif 000004
【図３】
0003156568.tif 000005
【図４】
0003156568.tif 000006